(57)【特許請求の範囲】
【請求項１】
筐体と、
報知部と、
外部装置から出力される電磁波による電磁誘導を利用して電力の供給を受ける受電部と、
所定の機能を実行する実行部と、
前記受電部により電力の供給を受けている場合において前記実行部により前記所定の機能が実行されているとき、前記受電部により供給される供給電力量と、前記所定の機能の実行により消費される消費電力量との関係を示す情報を前記報知部に報知させる制御部と、
前記外部装置に対する傾きの角度を検出する傾き検出部と、
前記筐体の傾きの角度と、当該角度における前記供給電力量との相関関係を第１対応情報として記憶する記憶部と、を備え、
前記制御部は、前記受電部により電力の供給を受けている場合において前記実行部により前記所定の機能が実行されているとき、前記記憶部の前記第１対応情報に基づいて前記供給電力量が前記消費電力量より上回る前記筐体の角度を前記報知部に報知させる、
携帯電子機器。
【請求項２】
アンテナと、
前記アンテナを介して外部機器と通信を行う通信部を更に備え、
前記実行部は、前記所定の機能として前記通信部の通信内容に基づく機能を実行し、
前記記憶部は、前記筐体の傾きの角度と、当該角度における前記アンテナの受信電界強度との相関関係を第２対応情報として記憶し、
前記制御部は、前記受電部により電力の供給を受けている場合において前記実行部により前記所定の機能が実行されているとき、前記記憶部の前記第１対応情報及び前記第２対応情報に基づいて、前記供給電力量が前記消費電力量に比べて多い角度であり、且つ前記アンテナの受信電界強度が所定の値より大きい角度を算出し、当該算出された角度を前記報知部に報知させる、
請求項１に記載の携帯電子機器。
【請求項３】
前記筐体に対し、前記受電部により供給される電力が増加する方向を検出する方向検出部を更に備え、
前記制御部は、前記方向検出部により検出した方向を前記報知部に報知させる、
請求項１又は２に記載の携帯電子機器。
【請求項４】
前記制御部は、前記受電部により電力の供給を受けている場合において前記実行部により前記所定の機能が実行されているとき、前記供給電力量が前記消費電力量に比べて多い場合に前記報知部に第１報知情報を報知させ、前記供給電力量が前記消費電力量に比べて少ない場合に前記報知部に前記第１報知情報と異なる第２報知情報を報知させる、
請求項１から３のいずれか１項に記載の携帯電子機器。
【請求項５】
前記制御部は、前記受電部により電力の供給を受けている状態において前記実行部により前記所定の機能が実行されている場合、前記供給電力量が前記消費電力量に比べて少ないときには、前記実行部による前記所定の機能の終了を促す旨の情報を前記第２報知情報として前記報知部に報知させる、
請求項４に記載の携帯電子機器。
【請求項６】
外部装置から出力される電磁波による電磁誘導を利用して電力の供給を受ける携帯電子機器が情報を報知する報知制御方法であって、
前記携帯電子機器が、前記外部装置から電力の供給を受けている場合において所定の機能を実行しているとき、前記外部装置から供給される供給電力量と、前記所定の機能の実行により消費される消費電力量との関係を示す情報を報知する第１ステップと、
前記外部装置に対する傾きの角度を検出する第２ステップと、
前記携帯電子機器の傾きの角度と、当該角度における前記供給電力量との相関関係を第１対応情報として記憶部に記憶する第３ステップと、を含み、
前記第１ステップは、前記外部装置から電力の供給を受けている場合において前記所定の機能が実行されているとき、前記第１対応情報に基づいて前記供給電力量が前記消費電力量より上回る前記携帯電子機器の角度を報知する、
報知制御方法。
【請求項７】
外部装置から出力される電磁波による電磁誘導を利用して電力の供給を受ける携帯電子機器に情報を報知させるための処理を実行させる報知制御プログラムであって、
前記携帯電子機器が前記外部装置から電力の供給を受けている場合において所定の機能を実行しているとき、前記外部装置から供給される供給電力量と、前記所定の機能の実行により消費される消費電力量との関係を示す情報を報知する第１処理と、
前記外部装置に対する傾きの角度を検出する第２処理と、
前記携帯電子機器の傾きの角度と、当該角度における前記供給電力量との相関関係を第１対応情報として記憶部に記憶する第３処理と、を含み、
前記第１処理は、前記外部装置から電力の供給を受けている場合において前記所定の機能が実行されているとき、前記第１対応情報に基づいて前記供給電力量が前記消費電力量より上回る前記携帯電子機器の角度を報知する、
ことを前記携帯電子機器に実行させる報知制御プログラム。
【発明の詳細な説明】
【技術分野】
【０００１】
本発明は、外部充電装置から電磁誘導を利用して電力の供給を受ける携帯電子機器、報知制御方法及び報知制御プログラムに関する。
【背景技術】
【０００２】
従来、電磁誘導作用を利用して、充電器との電気接点を持たずに非接触充電を行うことができる携帯電子機器が提案されている（例えば、特許文献１参照）。
【０００３】
また、近年、地上デジタル放送の電波を受信して地上デジタル放送を閲覧したり、ストリーミング配信が行われた動画を閲覧したりすることができる携帯電子機器が普及している。
【先行技術文献】
【特許文献】
【０００４】
【特許文献１】特開２００８−１１８３７５号公報
【発明の概要】
【発明が解決しようとする課題】
【０００５】
ところで、地上デジタル放送の閲覧等によって、携帯電子機器を長時間にわたり使用する場合には、携帯電子機器のバッテリ残量が低下する場合がある。そこで、携帯電子機器のユーザは、当該携帯電子機器を充電器に配置しながら使用する場合がある。
【０００６】
しかしながら、ユーザが携帯電子機器を充電器に配置しながら当該携帯電子機器を使用する場合、携帯電子機器と充電器との間に距離が生じ、十分に充電が行われず、結果として充電器からの供給電力量に比べて使用電力量が上回る場合がある。
【０００７】
本発明は、携帯電子機器のユーザに対して供給電力量と使用電力量との関係を報知することができる携帯電子機器、報知制御方法及び報知制御プログラムを提供することを目的とする。
【課題を解決するための手段】
【０００８】
本発明に係る携帯電子機器は、筐体と、報知部と、外部装置から出力される電磁波による電磁誘導を利用して電力の供給を受ける受電部と、所定の機能を実行する実行部と、前記受電部により電力の供給を受けている場合において前記実行部により前記所定の機能が実行されているとき、前記受電部により供給される供給電力量と、前記所定の機能の実行により消費される消費電力量との関係を示す情報を前記報知部に報知させる制御部と、を備える。
【０００９】
また、本発明に係る携帯電子機器は、前記外部装置に対する傾きの角度を検出する傾き検出部と、前記筐体の傾きの角度と、当該角度における前記供給電力量との相関関係を第１対応情報として記憶する記憶部と、を更に備え、前記制御部は、前記受電部により電力の供給を受けている場合において前記実行部により前記所定の機能が実行されているとき、前記記憶部の前記第１対応情報に基づいて前記供給電力量が前記消費電力量より上回る前記筐体の角度を前記報知部に報知させることが好ましい。
【００１０】
また、本発明に係る携帯電子機器は、アンテナと、前記アンテナを介して外部機器と通信を行う通信部を更に備え、前記実行部は、前記所定の機能として前記通信部の通信内容に基づく機能を実行し、前記記憶部は、前記筐体の傾きの角度と、当該角度における前記アンテナの受信電界強度との相関関係を第２対応情報として記憶し、前記制御部は、前記受電部により電力の供給を受けている場合において前記実行部により前記所定の機能が実行されているとき、前記記憶部の前記第１対応情報及び前記第２対応情報に基づいて、前記供給電力量が前記消費電力量に比べて多い角度であり、且つ前記アンテナの受信電界強度が所定の値より大きい角度を算出し、当該算出された角度を前記報知部に報知させることが好ましい。
【００１１】
また、本発明に係る携帯電子機器は、前記筐体に対し、前記受電部により供給される電力が増加する方向を検出する方向検出部を更に備え、前記制御部は、前記方向検出部により検出した方向を前記報知部に報知させることが好ましい。
【００１２】
また、本発明に係る携帯電子機器では、前記制御部は、前記受電部により電力の供給を受けている場合において前記実行部により前記所定の機能が実行されているとき、前記供給電力量が前記消費電力量に比べて多い場合に前記報知部に第１報知情報を報知させ、前記供給電力量が前記消費電力量に比べて少ない場合に前記報知部に前記第１報知情報と異なる第２報知情報を報知させることが好ましい。
【００１３】
また、本発明に係る携帯電子機器では、前記制御部は、前記受電部により電力の供給を受けている状態において前記実行部により前記所定の機能が実行されている場合、前記供給電力量が前記消費電力量に比べて少ないときには、前記実行部による前記所定の機能の終了を促す旨の情報を前記第２報知情報として前記報知部に報知させることが好ましい。
【００１４】
本発明に係る報知制御方法は、外部装置から出力される電磁波による電磁誘導を利用して電力の供給を受ける携帯電子機器が情報を報知する報知制御方法であって、前記携帯電子機器が、前記外部装置から電力の供給を受けている場合において所定の機能を実行しているとき、前記外部装置から供給される供給電力量と、前記所定の機能の実行により消費される消費電力量との関係を示す情報を報知するステップを含む。
【００１５】
本発明に係る報知制御プログラムは、外部装置から出力される電磁波による電磁誘導を利用して電力の供給を受ける携帯電子機器に情報を報知させるための処理を実行させる報知制御プログラムであって、前記携帯電子機器が前記外部装置から電力の供給を受けている場合において所定の機能を実行しているとき、前記外部装置から供給される供給電力量と、前記所定の機能の実行により消費される消費電力量との関係を示す情報を報知する処理を前記携帯電子機器に実行させる。
【発明の効果】
【００１６】
本発明によれば、携帯電子機器のユーザに対して充電量と使用電力量との関係を報知することができる。
【図面の簡単な説明】
【００１７】
【図１】本実施形態に係る携帯電話機の外観斜視図である。
【図２】本実施形態に係る携帯電話機の機能構成を示すブロック図である。
【図３】本実施形態に係る携帯電話機の受電部の配置位置を示す図である。
【図４】本実施形態に係る表示部に第１報知情報が示されている例を示す図である。
【図５】本実施形態に係る表示部に第２報知情報が示されている例を示す図である。
【図６】本実施形態に係る表示部に供給電力量が消費電力量より上回る筐体の角度が示されている例を示す図である。
【図７】本実施形態に係る表示部に供給電力量が増加する方向が示されている例を示す図である。
【図８】本実施形態に係る制御部が第１情報及び第２情報を表示部に表示させる処理の流れを示すフローチャートである。
【発明を実施するための形態】
【００１８】
以下、本発明の実施の形態について説明する。まず、本発明の携帯電子機器の一実施形態に係る携帯電話機１の基本構造について、図１を参照しながら説明する。図１は、本実施形態に係る携帯電話機１の外観斜視図である。
【００１９】
携帯電話機１は、筐体２を備える。筐体２には、正面部に、タッチパネル１０と、マイク１３と、スピーカ１４とが配置される。
【００２０】
タッチパネル１０は、報知部としての表示部１１と、接触検出部１２とを備える（図２参照）。表示部１１は、液晶表示パネル又は有機ＥＬ（エレクトロルミネッセンス）表示パネル等である。接触検出部１２は、表示部１１に対応して配置され、携帯電話機１のユーザの指やタッチペン等の物体の接触を検出する。接触検出部１２は、物体の接触を検出したことに応じて、接触位置を制御部２０に供給する。接触検出部１２には、例えば、静電容量方式や抵抗膜方式等のセンサが利用可能である。
【００２１】
マイク１３は、携帯電話機１のユーザが通話時に発した音声を入力するために用いられる。
スピーカ１４は、携帯電話機１のユーザの通話相手が発した音声を出力するために用いられる。
【００２２】
続いて、図２を参照しながら、携帯電話機１の機能構成について説明する。図２は、本実施形態に係る携帯電話機１の機能構成を示すブロック図である。
【００２３】
携帯電話機１は、上述した、タッチパネル１０（表示部１１及び接触検出部１２）と、マイク１３と、スピーカ１４とを備える。また、携帯電話機１は、バッテリ１５と、受電部１６と、傾き検出部１７と、通信部１８と、記憶部１９と、制御部２０とを備える。
【００２４】
バッテリ１５は、携帯電話機１全体に電力を供給する。また、バッテリ１５は、後述の受電部１６により供給された電力を充電する。
【００２５】
受電部１６は、複数のコイルを備えた外部充電装置（外部装置）１００の充電面１００ａとの電気接点を持たずに、電磁誘導を利用して当該外部充電装置１００から電力の供給を受ける。
【００２６】
図３は、本実施形態に係る受電部１６の筐体２における配置位置を示す図である。図３に示すように、受電部１６は、４つの受電コイル１６１Ａ、１６１Ｂ、１６１Ｃ及び１６１Ｄから構成されている。受電部１６は、外部充電装置１００から出力される電磁波による電磁誘導を利用して電力の供給を受け、供給された電力をバッテリ１５に供給する。
【００２７】
つまり、外部充電装置１００は、複数のコイルに電流を流すことによって磁束を発生させる。これに対して、受電部１６の受電コイル１６１Ａ、１６１Ｂ、１６１Ｃ及び１６１Ｄは、磁束を受けたことに応じて電流を発生する。このようにして、受電部１６は、外部充電装置１００から電力の供給を受ける。そして、受電部１６は、供給された電力を制御部２０に供給する。本実施形態では、複数の受電コイル１５１は、受電コイル１６１Ａ、１６１Ｂ、１６１Ｃ及び１６１Ｄからなり、図３に示すように、筐体２の内部に２列に２つずつ配置されている。なお、本実施形態では、携帯電話機１が受電コイルを４つ備えることとしたが、これに限らず４個未満又は５個以上の受電コイルを備えるようにしてもよい。
【００２８】
傾き検出部１７は、三軸加速度センサ等により構成されており、例えば、外部充電装置１００の充電面１００ａ等の所定の基準面に対する筐体２の傾きの角度を検出する。傾き検出部１７は、筐体２の傾きの角度を検出したことに応じて、この角度を制御部２０に供給する。所定の基準面とは、例えば、水平面であるが、充電を開始した場合における筐体２の傾きの角度等、基準点を適宜設定するようにしてもよい。
【００２９】
通信部１８は、第１アンテナ１８１と、第１ＲＦ回路部１８２と、第２アンテナ１８３と、第２ＲＦ回路部１８４とを備え、外部装置と通信を行う。
【００３０】
第１アンテナ１８１は、基地局等の外部機器と、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式等に対応する第１の変調方式で変調された高周波信号の送受信を行う。
第１ＲＦ回路部１８２は、第１アンテナ１８１により送受信される高周波信号を処理する。具体的には、第１ＲＦ回路部１８２は、第１アンテナ１８１によって受信した信号を第１の変調方式に対応する第１の復調方式で復調し、処理後の信号を制御部２０に供給する。また、第１ＲＦ回路部１８２は、制御部２０から供給された信号を第１の変調方式で変調し、第１アンテナ１８１を介して基地局等の外部機器に送信する。
【００３１】
第２アンテナ１８３は、基地局等の外部機器と、第２の変調方式としてのＯＤＦＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式等で変調された高周波信号の送受信を行う。
第２ＲＦ回路部１８４は、第２アンテナ１８３により送受信される高周波信号を処理する。具体的には、第２ＲＦ回路部１８４は、第２アンテナ１８３によって受信した信号を第２の変調方式に対応する第２の復調方式で復調し、処理後の信号を制御部２０に供給する。
【００３２】
記憶部１９は、例えば、ワーキングメモリを含み、制御部２０による演算処理に利用される。また、記憶部１９は、筐体２の傾きの角度θと、当該角度θにおいて外部充電装置１００から供給される供給電力量との相関関係を第１対応情報として記憶すると共に、筐体２の傾きの角度θと、当該角度θにおける第２アンテナ１８３の受信電界強度との相関関係を第２対応情報として記憶する。また、記憶部１９は、携帯電話機１の内部で動作するアプリケーションを１又は複数記憶する。なお、記憶部１９は、着脱可能な外部メモリを兼ねていてもよい。
【００３３】
例えば、第１対応情報は、筐体２の傾きの角度θが大きくなればなるほど、供給電力量が小さくなるといった相関関係を示す関数又はテーブルである。
また、第２対応情報は、筐体２の傾きの角度θが大きくなればなるほど、受信電界強度が大きくなるといった相関関係を示す関数又はテーブルである。
【００３４】
制御部２０は、ＣＰＵ等により構成されており、携帯電話機１の全体を制御する。例えば、制御部２０は、表示部１１、スピーカ１４、及び通信部１８に対して所定の制御を行う。また、制御部２０は、接触検出部１２によって物体の接触を検出したこと、及び傾き検出部１７によって筐体２の傾きの角度を検出したことに応じて、各種処理を実行する。
【００３５】
また、制御部２０は、実行部として機能し、所定の機能を実行する。制御部２０は、所定の機能の実行の際には、記憶部１９を制御し、所定の機能を有する各種プログラムの読み出しやデータの読み出し、及びデータの書き込みを行う。なお、所定の機能は、記憶部５０に記憶されているアプリケーションが有する機能や、通信部１８によって受信したプログラムが有する機能である。
【００３６】
また、制御部２０は、所定の機能を実行している場合に、所定の機能に係る処理のＣＰＵ使用率等に基づいて、所定の機能の実行によって消費される消費電力量を算出する。
【００３７】
このように構成される携帯電話機１は、制御部２０によって、受電部１６により供給される供給電力量と、所定の機能の実行により消費される消費電力量との関係を示す情報を表示部１１に表示する。以下に、制御部６０について、詳細な説明を行う。
【００３８】
制御部２０は、受電部１６により電力の供給を受けている場合において所定の機能を実行しているとき、受電部１６により供給される供給電力量と、所定の機能の実行により消費される消費電力量との関係を示す情報を表示部１１に表示させることで、当該情報を携帯電話機１のユーザに報知する。
【００３９】
具体的には、制御部２０は、受電部１６により電力の供給を受けている場合において所定の機能を実行しているとき、供給電力量が消費電力量に比べて多い場合に表示部１１に第１報知情報を表示させる。
【００４０】
図４は、本実施形態に係る表示部１１に第１報知情報が示されている例を示す図である。図４では、表示部１１に供給電力量が消費電力量に比べて大きく、供給電力量が十分であることを示すアイコン１１１が示されている。
【００４１】
また、制御部２０は、供給電力量が消費電力量に比べて少ない場合に表示部１１に第１報知情報と異なる第２報知情報を表示させる。具体的には、制御部２０は、受電部１６により電力の供給を受けている状態において所定の機能を実行している場合、供給電力量が消費電力量に比べて少ないときには、所定の機能の終了を促す旨の情報を第２報知情報として表示部１１に表示させる。なお、制御部２０は、バッテリ残量が所定量以下である場合に、第２報知情報を表示部１１に表示させるようにしてもよい。
【００４２】
図５は、本実施形態に係る表示部１１に第２報知情報が示されている例を示す図である。図５では、第２報知情報として、表示部１１に供給電力量が消費電力量に比べて小さく、供給電力量が不十分であることを示すアイコン１１２が示されていると共に、所定の機能を終了させる旨のメッセージ１１３が表示されている。
【００４３】
また、制御部２０は、受電部１６により電力の供給を受けている場合において所定の機能を実行しているとき、記憶部１９に記憶されている第１対応情報に基づいて供給電力量が消費電力量より上回る筐体２の外部充電装置１００の充電面１００ａに対する角度を表示部１１に表示させる。
【００４４】
図６は、本実施形態に係る表示部１１に供給電力量が消費電力量より上回る筐体２の角度が示されている例を示す図である。図６では、表示部１１に供給電力量が消費電力量に比べて小さく、供給電力量が不十分であることを示すアイコン１１２が示されていると共に、供給電力量が消費電力量より上回る筐体２の角度を示す旨のメッセージ１１４が表示されている。
【００４５】
なお、制御部２０は、上述のメッセージ１１３及びメッセージ１１４を交互に表示させるようにしてもよい。また、制御部２０は、上述のメッセージ１１３及びメッセージ１１４の表示態様を、図５及び図６に示されている表示態様と異なる態様にしてもよい。
【００４６】
また、制御部２０は、受電部１６により電力の供給を受けている場合において所定の機能を実行しているとき、記憶部１９に記憶されている第１対応情報及び第２対応情報に基づいて、供給電力量が消費電力量に比べて多くなる角度であり、且つ第２アンテナ１７４の受信電界強度が所定の値より大きい角度を算出する。そして、制御部２０は、当該算出された角度を表示部１１に表示させる。
【００４７】
また、制御部２０は、方向検出部として機能し、受電部１６により４つの受電コイル１５１それぞれにおける電力の受電量に基づいて、供給される電力が増加する方向を検出する。そして、制御部２０は、検出した方向を表示部１１に表示させる。
【００４８】
例えば、制御部２０は、受電部１６の４つの受電コイル１６１Ａ、１６１Ｂ、１６１Ｃ及び１６１Ｄの筐体２の中心からの方向を受電コイルそれぞれに対応するベクトルの向きとし、４つの受電コイル１６１Ａ、１６１Ｂ、１６１Ｃ及び１６１Ｄそれぞれにおける供給電力量を受電コイルそれぞれに対応するベクトルの大きさとする。そして、それぞれのベクトルを合成して得られるベクトルの向きを供給される電力が増加する方向としてもよい。
【００４９】
図７は、本実施形態に係る表示部１１に供給電力量が増加する方向が示されている例を示す図である。図７では、表示部１１に供給電力量が消費電力量に比べて小さく、供給電力量が不十分であることを示すアイコン１１２が示されていると共に、矢印１１５と、矢印の方向に筐体２を移動させる旨のメッセージ１１６が表示されている。
【００５０】
続いて、制御部２０による供給電力量と消費電力量との関係を示す情報を表示部１１に表示させる処理の流れについて説明する。図８は、本実施形態に係る制御部２０が第１情報及び第２情報を表示部１１に表示させる処理の流れを示すフローチャートである。
【００５１】
ステップＳ１において、制御部２０は、所定の機能の実行により消費される消費電力量と、受電部１６により供給される供給電力量とを計測する。
ステップＳ２において、制御部２０は、ステップＳ１において計測した供給電力量が消費電力量を上回っているか否かを判定する。制御部２０は、この判定がＹＥＳの場合、ステップＳ３に処理を移し、この判定がＮＯの場合、ステップＳ４に処理を移す。
【００５２】
ステップＳ３において、制御部２０は、第１報知情報を表示部１１に表示させる。制御部２０は、この処理の後、ステップＳ５に処理を移す。
ステップＳ４において、制御部２０は、第２報知情報を表示部１１に表示させる。
【００５３】
ステップＳ５において、制御部２０は、第２ＲＦ回路部１８４により、外部装置と通信を行っているか否かを判定する。制御部２０は、この判定がＹＥＳの場合、ステップＳ６に処理を移し、この判定がＮＯの場合、ステップＳ７に処理を移す。
【００５４】
ステップＳ６において、制御部２０は、記憶部１９に記憶されている第１対応情報及び第２対応情報に基づいて、供給電力量が消費電力量に比べて多い角度であり、且つ第２アンテナ１７４の受信電界強度が所定の値より大きい角度を算出する。制御部２０は、この処理の後、ステップＳ８に処理を移す。
ステップＳ７において、制御部２０は、記憶部１９に記憶されている第１対応情報のみに基づいて、供給電力量が消費電力量に比べて多い角度を算出する。
【００５５】
ステップＳ８において、制御部２０は、ステップＳ６又はステップＳ７において算出された角度を表示部１１に表示させる。
【００５６】
ステップＳ９において、制御部２０は、受電部１６が外部充電器から供給される電力が増加する方向を検出する。
ステップＳ１０において、制御部２０は、ステップＳ９において検出した方向を表示部１１に表示させる。
【００５７】
ステップＳ１１において、制御部２０は、所定の機能が終了したか否かを判定する。制御部２０は、この判定がＹＥＳの場合、本フローチャートに係る処理を終了し、この判定がＮＯの場合、ステップＳ１に処理を移す。
【００５８】
以上、本実施形態によれば、携帯電話機１は、受電部１６により電力の供給を受けている場合において所定の機能を実行しているとき、受電部１６により供給される供給電力量と、所定の機能の実行により消費される消費電力量との関係を示す情報を表示部１１に表示させる。よって、携帯電話機１は、携帯電話機１のユーザに対して供給電力量と使用電力量との関係を報知することができる。
【００５９】
また、携帯電話機１は、制御部２０により、受電部１６により電力の供給を受けている場合において所定の機能を実行しているとき、記憶部１９の第１対応情報に基づいて供給電力量が消費電力量より上回る筐体２の角度を表示部１１に表示させる。よって、携帯電話機１は、携帯電話機１のユーザに対して、携帯電話機１に電力を適切に供給することが可能な、外部充電装置１００の充電面１００ａに対する角度を報知することができる。
【００６０】
また、携帯電話機１は、制御部２０により、受電部１６により電力の供給を受けている場合において所定の機能を実行しているとき、記憶部１９の第１対応情報及び第２対応情報に基づいて、供給電力量が消費電力量に比べて多い角度であり、且つ第２アンテナ１８３の受信電界強度が所定の値より大きい角度を算出し、当該算出された角度を表示部１１に表示させる。よって、携帯電話機１は、携帯電話機１のユーザに対して、携帯電話機１に電力を適切に供給することが可能であり、更に、第２アンテナ１８３によって受信する放送等を問題なく閲覧することが可能な、外部充電装置１００の充電面１００ａに対する角度を報知することができる。したがって、携帯電話機１のユーザは、放送等を携帯電話機１によって閲覧する際に、自らの手で携帯電話機１を傾けつつも、携帯電話機１が充電可能となる角度にて放送等を閲覧することができる。
【００６１】
また、携帯電話機１は、制御部２０により、筐体２に対し、受電部１６により供給される電力が増加する方向を検出し、検出した方向を表示部１１に表示させる。よって、携帯電話機１は、携帯電話機１のユーザに対して、携帯電話機１の電力が増加する方向への移動を促すことができる。
【００６２】
また、携帯電話機１は、受電部１６により電力の供給を受けている場合において所定の機能を実行しているとき、制御部２０により、供給電力量が消費電力量に比べて多い場合に表示部１１に第１報知情報を表示せ、供給電力量が消費電力量に比べて少ない場合に表示部１１に第１報知情報と異なる第２報知情報を表示させる。よって、携帯電話機１は、携帯電話機１のユーザに対して、供給電力量が消費電力量に比べて多い場合と、供給電力量が消費電力量に比べて少ない場合とで、報知する情報を分けることができるので、状況に応じた適切な報知を行うことができる。
【００６３】
また、携帯電話機１は、受電部１６により電力の供給を受けている状態において所定の機能が実行している場合、制御部２０により、供給電力量が消費電力量に比べて少ないときには、所定の機能の終了を促す旨の情報を第２報知情報として表示部１１に表示させる。よって、携帯電話機１は、携帯電話機１のユーザに対して、所定の機能の終了を促して、携帯電話機１のバッテリ残量が低下することを防ぐことができる。
【００６４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６５】
本発明では、タッチパネル１０を備えた携帯電話機１について説明したが、タッチパネル１０を備えていない携帯電話機に本発明を適用してもよい。携帯電話機は、ストレートタイプや、２つの筐体をヒンジによって結合した折畳み式や、２つの筐体を重ね合わせた状態から一方の筐体を一方向にスライドさせるようにしたスライド式や、重ね合せ方向に沿う軸線を中心に一方の筐体を回転させるようにした回転式（ターンタイプ）でもよい。
【００６６】
また、上述した実施形態では、供給電力量が消費電力量より上回る筐体２の角度を表示部１１に表示させることとしたが、これに加えて、携帯電話機１の筐体２の角度を表示させることとしてもよい。このようにすることで、携帯電話機１のユーザは、筐体２の角度を変更した場合に、筐体２の角度が、供給電力量が消費電力量より上回る筐体２の角度に含まれているか否かを確認させることができる。
【符号の説明】
【００６７】
１  携帯電話機
１１  表示部
１２  接触検出部
１５  バッテリ
１６  受電部
１７  傾き検出部
１８  通信部
１９  記憶部
２０  制御部
１００  外部充電装置
１００ａ  充電面
１８１  第１アンテナ
１８２  第１ＲＦ回路部
１８３  第２アンテナ
１８４  第２ＲＦ回路部
【図１】
0005744589.tif 000002
【図２】
0005744589.tif 000003
【図３】
0005744589.tif 000004
【図４】
0005744589.tif 000005
【図５】
0005744589.tif 000006
【図６】
0005744589.tif 000007
【図７】
0005744589.tif 000008
【図８】
0005744589.tif 000009